(57)【要約】【課題】静電容量方式のタッチパネル装置において、簡単な構造及び操作によって認証を可能にする。【解決手段】認証システム１は、静電容量方式のタッチパネルを用いたタブレット型コンピュータ３と、電子印鑑５とを備えている。電子印鑑５は、タブレット型コンピュータ３に対して、静電容量の変化からなる識別情報を入力可能である。タブレット型コンピュータ３は、入力された識別情報に対して認証を行う。【選択図】図１
2012118637.tif 000002
【特許請求の範囲】
【請求項１】
静電容量方式のタッチパネル装置と、
前記タッチパネル装置に対して、静電容量の変化からなる識別情報を入力可能な入力装置と、を備え、
前記タッチパネル装置は、入力された前記識別情報に対して認証を行う、認証システム。
【請求項２】
前記タッチパネル装置は、前記入力装置からの前記識別情報を認証した後に、前記入力装置ごとに異なる動作を実行する、請求項１に記載の認証システム。
【請求項３】
前記タッチパネル装置は、前記入力装置からの前記識別情報を認証した後に、前記入力装置を特定する情報を表示する、請求項２に記載の認証システム。
【請求項４】
前記タッチパネル装置は、
静電容量方式のタッチパネルと、
前記タッチパネルが検出した前記識別情報を記憶する記憶部と、
前記記憶部に記憶された前記識別情報に基づいて、前記入力装置に対応する画像を表示する表示部と、を有している、請求項３に記載の認証システム。
【請求項５】
前記入力装置は、
前記タッチパネル装置の表面に接触するための第１導電性接触部と、
人間の指が接触可能な第２導電性接触部と、
前記第１導電性接触部と前記第２導電性接触部との間に設けられた断続器と、
前記断続器を所定のパターンで断続動作させる制御部とを有する、請求項１から４のいずれか１項に記載の認証システム。
【請求項６】
前記第１導電性接触部は、弾性変形可能な部材を有している、請求項５に記載の認証システム。
【請求項７】
前記断続器は、前記第１導電性接触部が前記タッチパネル装置の表面からの反力によって押されることで前記制御部を動作状態にするスイッチをさらに有している、請求項５又は６に記載の認証システム。
【請求項８】
前記入力装置は、前記断続器を収容しており、先端に前記第１導電性接触部が露出した状態で配置され、操作者の指が接触する位置に前記第２導電性接触部が露出した状態で配置される筐体をさらに有している、請求項５から７のいずれか１項に記載の認証システム。
【請求項９】
静電容量方式のタッチパネル装置に対して、静電容量の変化からなる識別情報を入力可能な入力装置であって、
前記タッチパネル装置の表面に接触するための第１導電性接触部と、
人間の指が接触可能な第２導電性接触部と、
前記第１導電性接触部と前記第２導電性接触部との間に設けられた断続器と、
前記断続器を所定のパターンで断続動作させる制御部と、
備えた入力装置。
【請求項１０】
静電容量方式のタッチパネル装置において、静電容量の変化からなる識別情報を認証する認証プログラムであって、
前記識別情報が入力されたときに識別情報を検出するステップと、
前記識別情報からタッチダウン又はタッチアップの時間間隔を計測するステップと、
計測結果を認証データと照合するステップと、
照合結果を報知するステップと、を含む方法をコンピュータに実行させる認証プログラム。
【発明の詳細な説明】
【技術分野】
【０００１】
本発明は、認証システム、特に、静電容量方式のタッチパネル装置を用いた認証システムに関する。
【背景技術】
【０００２】
タッチパネルには、抵抗膜方式、赤外線方式、静電容量方式、超音波方式といった複数の方式がある。静電容量方式は、静電容量の変化を利用して位置検出を行う方式である。静電容量方式は、表面型と投影型の２種類に分かれる。表面型は１シート状の透明電極を用いたアナログ検出方法であり、投影型はＸ−Ｙの格子状の駆動電極を用いた積算検出方法である。
【０００３】
このようなタッチパネルは、例えばタブレット型コンピュータに採用される等して、普及が進んでいる。そして、従来の紙ベースで行う作業も、タッチパネルが搭載されたタブレット型コンピュータで行われることが望まれているケースがある。例えば、文書情報に対して捺印を行う作業をタブレット型コンピュータのタッチパネルで実行するための電子捺印装置が知られている（例えば、特許文献１を参照。）。
【発明の概要】
【発明が解決しようとする課題】
【０００４】
一般に静電容量方式のタッチパネルは、操作者が指を使って入力を行うことを想定している。したがって、指以外の手段によって特定の情報を入力することについては、従来では具体的な解決方法が検討されてこなかった。そのため、電子捺印装置を静電容量方式のタッチパネルで実現する場合に、簡単な構造及び操作で識別情報を入力可能とすることが実現されていなかった。
【０００５】
本発明の課題は、静電容量方式のタッチパネル装置において、簡単な構造及び操作によって認証を可能にすることにある。
【課題を解決するための手段】
【０００６】
以下に、課題を解決するための手段として複数の態様を説明する。これら態様は、必要に応じて任意に組み合わせることができる。
【０００７】
本発明の一見地に係る認証システムは、静電容量方式のタッチパネル装置と、入力装置とを備えている。入力装置は、タッチパネル装置に対して、静電容量の変化からなる識別情報を入力可能である。タッチパネル装置は、入力された識別情報に対して認証を行う。
【０００８】
このシステムでは、入力装置が静電容量の変化からなる識別情報をタッチパネル装置に対して入力すれば、タッチパネル装置が入力された識別情報に対して認証を行う。このように簡単な構造及び操作によって、静電容量方式のタッチパネル装置を用いた認証が可能になっている。
【０００９】
タッチパネル装置は、入力装置からの識別情報を認証した後に、入力装置ごとに異なる動作を実行してもよい。
【００１０】
このシステムでは、操作者は、自分が用いた入力装置による認証が正しく行われた場合に、タッチパネル装置の動作に基づいてそのことを知ることができる。
【００１１】
タッチパネル装置は、入力装置からの識別情報を認証した後に、入力装置を特定する情報を表示してもよい。
【００１２】
このシステムでは、例えば、判子を紙に押したときに印鑑画像が映るように、入力装置を特定する情報がタッチパネル装置の表面に表示される。これにより、操作者は、自分が用いた入力装置による認証が正しく行われた場合に、タッチパネル装置の動作に基づいてそのことを知ることができる。
【００１３】
タッチパネル装置は、静電容量方式のタッチパネルと、記憶部と、表示部とを備えていてもよい。記憶部は、タッチパネルが検出した識別情報を記憶する。表示部は、記憶部に記憶された識別情報に基づいて、入力装置に対応する画像を表示する。
【００１４】
このシステムでは、記憶部に記憶された識別情報に基づいて、入力装置に対応する画像が表示される。これにより、操作者は、自分が用いた入力装置による認証が正しく行われた場合に、タッチパネル装置の表示に基づいてそのことを知ることができる。
【００１５】
入力装置は、第１導電性接触部と、第２導電性接触部と、断続器と、制御部とを有していてもよい。第１導電性接触部は、タッチパネル装置の表面に接触する。第２導電性接触部は、人間の指が接触可能である。断続器は、第１導電性接触部と第２導電性接触部との間に設けられている。制御部は、断続器を所定のパターンで断続動作させる。
【００１６】
このシステムでは、制御部が断続器を所定のパターンで断続動作させると、第１導電性接触部と第２導電性接触部は連通と切断を繰り返す。これにより、所定のパターンの静電容量の変化からなる識別情報が、タッチパネル装置によって検出される。
【００１７】
第１導電性接触部は、弾性変形可能な部材を有していてもよい。
【００１８】
このシステムでは、第１導電性接触部が全体的にタッチパネル装置の表面に接触するので、識別情報が安定的にタッチパネル装置に入力される。
【００１９】
断続器は、第１導電性接触部がタッチパネル装置の表面からの反力によって押されることで制御部を動作状態にするスイッチをさらに有していてもよい。
【００２０】
このシステムでは、操作者が入力装置をタッチパネル装置の表面に押し付けることで、スイッチが制御部を動作状態にして、その結果、入力装置からタッチパネル装置に識別情報が入力される。つまり、操作者が入力装置をタッチパネル装置に押し付けた状態を維持することで、入力装置とタッチパネル装置の通信が安定的に行われる。
【００２１】
入力装置は、断続器を収容しており、先端に第１導電性接触部が露出した状態で配置され、操作者の指が接触する位置に第２導電性接触部が露出した状態で配置される筐体をさらに有していてもよい。
【００２２】
このシステムでは、操作者が筐体を持つときに指が第２導電性接触部に接触するので、操作者は、第２導電性接触部に触れることをあまり意識することなく、入力装置を用いて識別情報をタッチパネル装置に入力できる。
【００２３】
本発明の他の見地に係る入力装置は、静電容量方式のタッチパネル装置に対して、静電容量の変化からなる識別情報を入力可能な入力装置である。入力装置は、第１導電性接触部と、第２導電性接触部と、断続器と、制御部とを有している。第１導電性接触部は、タッチパネル装置の表面に接触する。第２導電性接触部は、人間の指が接触可能である断続器は、第１導電性接触部と第２導電性接触部との間に設けられている。制御部は、断続器を所定のパターンで断続動作させる。
【００２４】
本発明のさらに他の見地に係る認証プログラムは、静電容量方式のタッチパネル装置において、静電容量の変化からなる識別情報を認証するものであり、以下のステップを含む方法をコンピュータに実行させる。
【００２５】
◎識別情報が入力されたときに識別情報を検出するステップ
◎識別情報からタッチダウン又はタッチアップの時間間隔を計測するステップ
◎計測結果を認証データと照合するステップ
◎照合結果を報知するステップ
【発明の効果】
【００２６】
本発明に係る認証システムでは、静電容量方式のタッチパネル装置において、簡単な操作によって認証が可能になる。
【図面の簡単な説明】
【００２７】
【図１】認証システムの概略構成を示すブロック図。
【図２】電子印鑑の斜視図。
【図３】電子印鑑の分解斜視図。
【図４】電子印鑑の概略断面図。
【図５】スイッチングリレーの動作原理を示す模式図。
【図６】スイッチングリレーの動作原理を示す模式図。
【図７】電子印鑑の動作フローチャート。
【図８】タブレット型コンピュータの動作フローチャート。
【図９】第１の種類の電子印鑑による識別情報を示すグラフ。
【図１０】第２の種類の電子印鑑による識別情報を示すグラフ。
【図１１】電子印鑑受付状態にあるタブレット型コンピュータの平面図。
【図１２】承認不可表示状態にあるタブレット型コンピュータの平面図。
【発明を実施するための形態】
【００２８】
（１）認証システムの基本構成
図１を用いて、本発明の一実施形態としての認証システム１を説明する。図１は、認証システムの概略構成を示すブロック図である。
【００２９】
認証システム１は、タブレット型コンピュータ３と、電子印鑑５とを備えている。電子印鑑５は、タブレット型コンピュータ３に対して、静電容量の変化からなる識別情報を入力可能な認証器である。タブレット型コンピュータ３は、入力された識別情報に対して認証を行う。
【００３０】
（２）タブレット型コンピュータ
タブレット型コンピュータ３は、主に、タッチパネル７と、ディスプレイ９と、制御部１１とを有している。タッチパネル７は、静電容量方式のタッチパネルである。ディスプレイ９は、例えば、液晶ディスプレイである。
【００３１】
制御部１１は、タッチパネル７に信号が入力されると、それに基づいて情報処理を行い、さらにディスプレイ９に各種表示を行わせる。制御部１１は、ＣＰＵ、ＲＡＭ、ＲＯＭ等からなりプログラムを実行するコンピュータであり、認証部１３、表示制御部１５、入力データ記憶部１７、認証データ記憶部１９、タイマー部２１、及び表示データ記憶部２３を有している。入力データ記憶部１７には、電子印鑑５から入力された識別情報が保存される。認証データ記憶部１９には、認証部１３が認証を行う認証データが予め保存されている。認証データとは、識別情報に対応するデータである。タイマー部２１は、必要に応じて生成され、タッチダウン及びタッチアップの時間間隔を計測する。表示データ記憶部２３には、認証データに対応する表示データと、承認不可を示す表示データとが予め保存されている。認証データに対応する表示データとは、この実施形態では、印鑑画像である。
【００３２】
認証部１３は、タッチパネル７が検出した識別情報を入力データ記憶部１７に記憶させ、続いて、入力データ記憶部１７に記憶された入力データを認証データ記憶部１９に記憶された認証データと照合する。認証部１３は、入力データに対応する認証データがある場合は表示制御部１５にその旨を通知し、入力データに対応する認証データがない場合は表示制御部１５にその旨を通知する。なお、認証部１３は、電子印鑑５の押捺位置すなわち座標位置を検出する機能も有している。
【００３３】
表示制御部１５は、認証部１３からの指示に従って、表示データ記憶部２３に記憶された表示データをディスプレイ９に表示する。
【００３４】
（３）電子印鑑
図２〜図６を用いて、電子印鑑５の構造及び動作を説明する。図２は電子印鑑の斜視図であり、図３は電子印鑑の分解斜視図であり、図４は電子印鑑の概略断面図であり、図５及び図６はスイッチングリレーの動作原理を示す模式図である。
【００３５】
電子印鑑５は、タッチパネル７に対して人間の指の延長として機能する導電部材であり、さらに複数回の電気的断続によってタッチパネル７の表面に静電容量の変化を生じさせる装置である。言い換えると、電子印鑑５は、人間の指がタッチパネルに着いたり離れたりするの同様の所定の動作を行って、電子印鑑５ごとの識別情報をタッチパネルに入力する。なお、印鑑として機能するために、識別情報は電子印鑑５ごとに異なる。
【００３６】
より詳細には、電子印鑑５は、筐体２５と、マイコン制御部２７と、バッテリ２９と、導電性スポンジ３１と、台座３３と、銅箔テープ３５と、スポンジ３７と、タクトスイッチ３９と、スイッチングリレー４１と、銅釘４３と、第１導電線４５と、第２導電線４７とを有している。なお、図２〜図４において、図左側を第１側として、図右側を第２側とする。
【００３７】
筐体２５は、一方向に長く伸びて電子印鑑５の外観を構成する部材である。筐体２５は、例えば、プラスチック等の非導電性材料からなる。筐体２５は、図２〜図４に示すように、上側カバー２５Ａと、下側カバー２５Ｂと、底側カバー２５Ｃとを有している。筐体２５は、第１側に開口端部２５ａを有しており、開口端部２５ａに導電性スポンジ３１が配置されている。
【００３８】
マイコン制御部２７は、ＣＰＵ、ＲＡＭ、ＲＯＭ等からなりプログラムを実行するコンピュータである。マイコン制御部２７は、図５及び図６に示すように、当該電子印鑑に関する固有の識別情報を保存する識別情報記憶部２７ａと、識別情報を送信する情報送信部２７ｂとを有している。識別情報とは、所定のオンオフの組合せからなるパターンである。
【００３９】
導電性スポンジ３１は、タブレット型コンピュータ３のタッチパネル７に接触する部材である。導電性スポンジ３１は、平坦な主面を有しており、導電性及び可撓性を有している。可撓性を有することで、導電性スポンジ３１が全体的にタブレット型コンピュータ３の表面に接触するので、識別情報が安定的にタブレット型コンピュータ３に入力される。
【００４０】
台座３３は、導電性スポンジ３１を受けるための部材であり、例えばプラスチック等の非導電性材料からなる。導電性スポンジ３１は、台座３３の第１側の面に固定されている。台座３３は、フランジ３３ａを有しており、それにより筐体２５の開口端部２５ａからの飛び出しが制限されている。
【００４１】
銅箔テープ３５は、台座３３の第１側の面と第２側の面とにわたって延びており、一端が導電性スポンジ３１に接続されている。
【００４２】
スポンジ３７は、台座３３の第２側に配置されている。スポンジ３７は、非導電性の材料からなる。
【００４３】
タクトスイッチ３９は、スポンジ３７の第２側に配置されている。タクトスイッチ３９は、スポンジ３７から所定の荷重が作用すると、バッテリ２９とマイコン制御部２７を接続する。すると、バッテリ２９からマイコン制御部２７に電力供給が開始されする。また、タクトスイッチ３９は、スポンジ３７から所定の荷重が取り除かれると、バッテリ２９とマイコン制御部２７とを遮断する。すると、バッテリ２９からマイコン制御部２７への電力供給が停止される。
【００４４】
スイッチングリレー４１は、機械構造的には、タクトスイッチ３９の第２側に配置されている。スイッチングリレー４１は、電気的には、銅箔テープ３５（つまり、導電性スポンジ３１）と銅釘４３との間に配置されている（後述）。
【００４５】
第１導電線４５は、銅箔テープ３５とスイッチングリレー４１とを電気的に接続している。
【００４６】
第２導電線４７は、スイッチングリレー４１と銅釘４３とを電気的に接続している。
【００４７】
銅釘４３は、筐体２５の上側カバー２５Ａに設けられた穴あき凹部２５Ｄに設けられており、頭部が露出して配置されている。したがって、操作者が筐体２５を持つときに指が自然と銅釘４３の頭部に接触する。つまり、操作者は、銅釘４３に触れることをあまり意識することなく、電子印鑑５を用いて識別情報をタブレット型コンピュータ３に入力できる。
【００４８】
図５及び図６を用いて、スイッチングリレー４１の構造及び動作を説明する。
【００４９】
スイッチングリレー４１は、マイコン制御部２７の情報送信部２７ｂからの駆動によって所定のパターンでオンオフを繰り返す装置である。スイッチングリレー４１は、主に、磁鉄５１と、鉄片５３と、接触片５５と、操作コイル５７とを有している。磁鉄５１は、鉄心５１ａと、支持部５１ｂとを有している。鉄心５１ａには、操作コイル５７の一部が巻かれている。支持部５１ｂは、鉄片５３を揺動自在に支持している。鉄片５３は、一端が支持部５１ｂの上端に揺動自在に支持され、他端が鉄心５１ａの上端に離反及び接近が可能となっている。接触片５５は、鉄片５３に設けられ、一端が鉄片５３に固定され、他端が鉄片５３からさらに延びている。接触片５５は、第２導電線４７と電気的に接続されている。接触片５５は、鉄片５３の移動によって、第１導電線４５と電気的に接続及び離反する。操作コイル５７は、一部が鉄心５１ａに巻かれ、両端部がマイコン制御部２７に接続されている。
【００５０】
マイコン制御部２７は、バッテリ２９から供給される電力に基づいて動作する。マイコン制御部２７は、スイッチングリレー４１を所定のパターンで断続動作させる制御を行う。より具体的には、情報送信部２７ｂが、識別情報記憶部２７ａから印鑑固有のデータを受け取り、データのパターンに合わせて操作コイル５７に電流を供給及び遮断を繰り返す。それにより、スイッチングリレー４１は断続動作を行う。
【００５１】
図５では、スイッチングリレー４１は切断状態になっており、したがって操作者の指が銅釘４３を触れておりしかも導電性スポンジ３１がタッチパネル７に接触していても、電子印鑑５は、人間の指としてはタッチパネル７から離れた状態（タッチアップ）を実現している。図６では、スイッチングリレー４１は接続状態になっており、したがって操作者の指が銅釘４３を触れておりしかも導電性スポンジ３１がタッチパネル７に接触していれば、電子印鑑５が、人間の指としてはタッチパネル７に触れた状態（タッチダウン）を実現している。
【００５２】
このようにスイッチングリレー４１が所定のパターンで断続することで、所定のパターンの静電容量の変化からなる識別情報がタブレット型コンピュータ３に入力される。
【００５３】
以上に述べた電子印鑑５の動作をまとめとると、以下の通りである。操作者が電子印鑑５をタブレット型コンピュータ３の表面に押し付けることで、導電性スポンジ３１がタブレット型コンピュータ３の表面からの反力によって押されてタクトスイッチ３９が駆動され、次にタクトスイッチ３９がマイコン制御部２７を動作状態にして、それによりマイコン制御部２７がスイッチングリレー４１に断続動作を行わせる。その結果、タブレット型コンピュータ３に静電容量の変化としての識別情報が入力される。
【００５４】
（４）認証制御動作
（４−１）全体の概略制御動作
図７を用いて、認証制御動作の概略を説明する。
【００５５】
なお、認証制御動作時には、タブレット型コンピュータ３のディスプレイ９には、例えば、図１１に示すように、承認を求める書類情報と、電子印鑑を押し当てる部分である第１印鑑押当部分７ａ、第２印鑑押当部分７ｂ、第３印鑑押当部分７ｃが表示されている。
【００５６】
操作者が電子印鑑５をタブレット型コンピュータ３のタッチパネル７に押し付けると、タクトスイッチ３９がオンされて、バッテリ２９からマイコン制御部２７に電力が供給される。これにより、マイコン制御部２７がスイッチングリレー４１に対して電力オンと電力オフとを繰り返す。電力オンによってスイッチングリレー４１は連通状態になり、その結果、タッチパネル７にはタッチダウンが入力される。電力オフによってスイッチングリレー４１は遮断状態になり、その結果、タッチパネル７にはタッチアップが入力される。
【００５７】
タッチダウン又はタッチアップが入力されると、タイマー部２１が時間計測を開始する。なお、このときに、表示制御部１５は、受信中であることの表示をディスプレイ９に表示させる。
【００５８】
認証部１３は、タイマー部２１からの情報に基づいて、タッチダウン又はタッチアップの時間間隔を入力データ記憶部１７に記憶する。
【００５９】
以上のステップは、４００ｍｓ以上のタッチアップを検出するまで繰り返される。そして、次に、認証部１３は、入力データ記憶部１７に保存された入力データに一致する認証データが認証データ記憶部１９に存在するか否か、さらには入力データが電子印鑑５の押し当てられた箇所に正しく対応したものであるか否かを調べる。この照合作業により、用いられた電子印鑑５が正しいものか否かが判定される。用いられた電子印鑑５が正しい場合には、表示制御部１５が、用いられた電子印鑑５に対応する印鑑画像を表示データ記憶部２３から取り出し、それをディスプレイ９に表示させる。
【００６０】
（４−２）電子印鑑の制御動作
図７を用いて、電子印鑑５の制御を説明する。図７は、電子印鑑の動作フローチャートである。なお、以下の説明では、主に、電子印鑑５のマイコン制御部２７（つまり、情報送信部２７ｂ）が動作主体である。
【００６１】
ステップＳ１では、電子印鑑５がタッチパネル７に押されることで、タクトスイッチ３９がオンされる。これにより、マイコン制御部２７にバッテリ２９から電力が供給される。これにより、ステップＳ２〜Ｓ８において、マイコン制御部２７は、スイッチングリレー４１に所定の電力オンオフの組み合わせからなる制御信号を送信開始する。
【００６２】
ステップＳ２では、マイコン制御部２７は、スイッチングリレー４１をオンにする。
【００６３】
ステップＳ３では、マイコン制御部２７は、スイッチングリレー４１を所定時間オン状態に維持する。
【００６４】
ステップＳ４では、マイコン制御部２７は、スイッチングリレー４１をオフにする。
【００６５】
ステップＳ５では、マイコン制御部２７は、スイッチングリレー４１を所定時間オフ状態に維持する。
【００６６】
ステップＳ６では、マイコン制御部２７は、データ送信完了か否かを判断する。データ送信完了でなければ、プロセスはステップＳ２に戻る。データ送信完了であれば、プロセスはステップＳ７に移行する。
【００６７】
ステップＳ７では、マイコン制御部２７は、スイッチングリレー４１を送信完了間隔である４００ｍｓだけオフ状態を維持する。ステップＳ８が終了すると、プロセスはステップＳ１に戻り、次に電子印鑑５がタッチパネル７に押されるのを待つ。
【００６８】
（４−３）タブレット型コンピュータの制御動作
図８を用いて、タブレット型コンピュータ３の制御を説明する。図８は、タブレット型コンピュータの動作フローチャートである。なお、以下の説明では、主に、タブレット型コンピュータ３の制御部１１が動作主体である。
【００６９】
ステップＳ１１では、タイマー部２１が動作可能となる。
【００７０】
ステップＳ１２では、認証部１３は、タッチパネル７に入力されたタッチダウン又はタッチアップが受信されるの待つ。
【００７１】
ステップＳ１３では、認証部１３は、タッチダウン又はタッチアップの時間間隔を入力データ記憶部１７の第１配列に記憶する。
【００７２】
ステップＳ１４では、認証部１３は、タイマー部２１の値をリセットさせる。
【００７３】
ステップＳ１５では、認証部１３は、入力データ記憶部１７の第１配列に記憶された最新のタッチダウン又はタッチアップの時間間隔が４００ｍｓ付近であるか否かを判断する。４００ｍｓ付近であれば、プロセスはステップＳ１６に移行する。４００ｍｓ付近でなければ、プロセスはステップＳ１２に戻り、次のタッチダウン又はタッチアップが入力されるのを待つ。
【００７４】
ステップＳ１６では、認証部１３は、入力データ記憶部１７の第１配列に記憶された一連のタッチダウン又はタッチアップの時間間隔に関して、２００ｍｓ付近のものについては入力データ記憶部１７の第２配列に「１」を格納し、１００ｍｓ付近のものについては入力データ記憶部１７の第２配列に「０」を格納する。これにより、電子印鑑５によって生じた静電量変化のパターンが、１と０の配列パターンとして入力データ記憶部１７に保存される。
【００７５】
図９及び図１０を用いて、タッチダウンとタッチアップのパターンと受信側の解釈との関係を説明する。図９は、第１の種類の電子印鑑による識別情報を示すグラフであり、図１０は第２の種類の電子印鑑による識別情報を示すグラフである。
【００７６】
図９に示された電子印鑑５の所定パターンは、接地０．１秒−非接地０．１秒−接地０．２秒−非接地０．２秒−接地０．１秒−非接地０．４秒の繰り返しである。これにより、タブレット型コンピュータ３の入力データ記憶部１７には、「００１１０」が保存される。非接地０．４秒は、タブレット型コンピュータ３には、終了信号として解釈される。
【００７７】
図１０に示された電子印鑑５の所定パターンは、接地０．２秒−非接地０．２秒−接地０．１秒−非接地０．１秒−接地０．１秒−非接地０．４秒の繰り返しである。これにより、タブレット型コンピュータ３の入力データ記憶部１７には、「１１０００」が保存される。非接地０．４秒は、タブレット型コンピュータ３には、終了信号として解釈される。
【００７８】
この実施形態では、スイッチングリレーをマイコン制御することで、人間の指では実現できないスピードで特定のタッチパターンを構成するタッチアップ及びタッチダウンをタブレット型コンピュータ３に入力している。
【００７９】
特に、タブレット型コンピュータ３が人間の指の押し方（位置、数、面積、押圧力）にのみ反応するように設定されるいるような場合でも、電子印鑑５を人間の指と同等の機能を実現するように構成することで、そのようなタブレット型コンピュータ３に識別情報を入力することができる。
【００８０】
また、操作者は、電子印鑑５をタブレット型コンピュータ３に押し付けるときに、通常の印鑑を紙に押すときと同様の感覚が得られるので、電子印鑑５を用いることに抵抗感を感じない。
【００８１】
さらに、電子印鑑５がタブレット型コンピュータ３に押し当てられてタッチパネル７から電子印鑑５側に反力が作用した瞬間から、電子印鑑５から識別信号がタブレット型コンピュータ３に入力される。つまり、操作者が電子印鑑５をタブレット型コンピュータ３に押し付けた状態を維持することで、電子印鑑５とタブレット型コンピュータ３の通信が安定的に行われる。
【００８２】
ステップＳ１７では、認証部１３は、入力データ記憶部１７に保存された識別情報に対応する認証データが認証データ記憶部１９に保存されているか否か、さらには当該入力データが電子印鑑５の押し当てられた箇所に正しく対応したものであるか否かを調べる。入力データが電子印鑑５の押し当てられた箇所に正しく対応していない場合とは、例えば部長印が押されるべき箇所に課長印が押された場合である。両方ともＹｅｓの場合は、プロセスはステップＳ１８に移行する。一方でもＮｏの場合は、プロセスはステップＳ１９に移行する。
【００８３】
ステップＳ１８では、認証部１３からの指示に基づいて、表示制御部１５は、対応する印鑑の印鑑画像データを表示データ記憶部２３から取り出して、ディスプレイ９に表示する。例えば、図１１に示すように、山本印である電子印鑑５が第１印鑑押当部分７ａに正しく押されると、第１印鑑押当部分７ａに「山本」の印鑑画像が表示される。
【００８４】
このように、タブレット型コンピュータ３は、電子印鑑５からの識別情報を認証した後に、電子印鑑５を特定する情報を表示する。つまり、例えば、判子を紙に押したときに印鑑画像が映るように、電子印鑑５を特定する情報がタブレット型コンピュータ３の表面に表示される。これにより、操作者は、自分の電子印鑑５による認証が正しく行われた場合に、タブレット型コンピュータ３の動作に基づいてそのことを知ることができる
なお、認証部１３は、印鑑画像を付加して文書ファイルを保存する。
【００８５】
ステップＳ１９では、認証部１３は、表示制御部１５に「承認不可」の表示をディスプレイ９に表示させる。例えば、図１２に示すように、書類の承認不可が表示される。なお、図１２は、承認不可表示状態にあるタブレット型コンピュータの平面図である。
【００８６】
（５）特徴
上記実施形態は、下記のように表現可能である。
【００８７】
（Ａ）認証システム１は、タブレット型コンピュータ３（静電容量方式のタッチパネル装置の一例）と、電子印鑑５（入力装置の一例）とを備えている。電子印鑑５は、タブレット型コンピュータ３に対して、静電容量の変化からなる識別情報を入力可能である。タブレット型コンピュータ３は、入力された識別情報に対して認証を行う。
【００８８】
このシステムでは、電子印鑑５が静電容量の変化からなる識別情報をタブレット型コンピュータ３に対して入力すれば、タブレット型コンピュータ３が入力された識別情報に対して認証を行う。このように簡単な構造及び操作によって、タブレット型コンピュータ３による認証が可能になっている。
【００８９】
（Ｂ）タブレット型コンピュータ３は、電子印鑑５からの識別情報を認証した後に、電子印鑑５ごとに異なる動作を実行する。
【００９０】
このシステムでは、操作者は、自分が用いた電子印鑑５による認証が正しく行われた場合に、タブレット型コンピュータ３の動作に基づいてそのことを知ることができる。
【００９１】
（Ｃ）タブレット型コンピュータ３は、電子印鑑５からの識別情報を認証した後に、電子印鑑５を特定する情報を表示する。
【００９２】
このシステムでは、例えば、判子を紙に押したときに印鑑画像が映るように、電子印鑑５を特定する情報がタブレット型コンピュータ３の表面に表示される。これにより、操作者は、自分が用いた電子印鑑５による認証が正しく行われた場合に、タブレット型コンピュータ３の動作に基づいてそのことを知ることができる。
（Ｄ）タブレット型コンピュータ３は、静電容量方式のタッチパネル７と、入力データ記憶部１７（記憶部の一例）と、ディスプレイ９（表示部の一例）とを備えている。入力データ記憶部１７は、タッチパネル７が検出した識別情報を記憶する。ディスプレイ９は、入力データ記憶部１７に記憶された識別情報に基づいて、電子印鑑５に対応する画像を表示する。
【００９３】
このシステムでは、入力データ記憶部１７に記憶された識別情報に基づいて、電子印鑑５に対応する画像が表示される。これにより、操作者は、自分が用いた電子印鑑５による認証が正しく行われた場合に、タブレット型コンピュータ３の表示に基づいてそのことを知ることができる。
（Ｅ）電子印鑑５は、導電性スポンジ３１（第１導電性接触部の一例）と、銅釘４３（第２導電性接触部の一例）と、スイッチングリレー４１（断続器の一例）と、マイコン制御部２７（制御部）とを有する。導電性スポンジ３１は、タブレット型コンピュータ３の表面に接触する。銅釘４３は、人間の指が接触可能である。スイッチングリレー４１は、導電性スポンジ３１と銅釘４３との間に設けられている。制御部は、スイッチングリレー４１を所定のパターンで断続動作させる。
【００９４】
このシステムでは、マイコン制御部２７がスイッチングリレー４１を所定のパターンで断続動作させると、導電性スポンジ３１と銅釘４３は連通と切断を繰り返す。これにより、所定のパターンの静電容量の変化からなる識別情報がタブレット型コンピュータ３によって検出される。
【００９５】
（Ｆ）導電性スポンジ３１は、弾性変形可能な部材である。
【００９６】
このシステムでは、導電性スポンジ３１が全体的にタブレット型コンピュータ３の表面に接触するので、識別情報が安定的にタブレット型コンピュータ３に入力される。
【００９７】
（Ｇ）タクトスイッチ３９（スイッチの一例）は、導電性スポンジ３１がタブレット型コンピュータ３の表面からの反力によって押されることでマイコン制御部２７を動作状態にする。
【００９８】
このシステムでは、操作者が電子印鑑５をタブレット型コンピュータ３の表面に押し付けることで、タクトスイッチ３９がマイコン制御部２７を動作状態にして、その結果、電子印鑑５からタブレット型コンピュータ３に識別情報が入力される。つまり、操作者が電子印鑑５をタブレット型コンピュータ３に押し付けた状態を維持することで、電子印鑑５とタブレット型コンピュータ３の通信が安定的に行われる。
【００９９】
（Ｈ）電子印鑑５は、スイッチングリレー４１を収容しており、先端に導電性スポンジ３１が露出した状態で配置され、操作者の指が接触する位置に銅釘４３が露出した状態で配置される筐体２５をさらに有している。
【０１００】
このシステムでは、操作者が筐体２５を持つときに指が銅釘４３に接触するので、操作者は、銅釘４３に触れることをあまり意識することなく、電子印鑑５を用いて識別情報をタブレット型コンピュータ３に入力できる。
【０１０１】
（６）他の実施形態
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合わせ可能である。
【０１０２】
（ａ）前記実施形態では電子印鑑のタッチパネルに対する接触面を導電性スポンジにしたが、導電性材料からなる柔軟性を有する部材であればスポンジ以外であってもよい。例えば、導電性のゴムを用いてもよい。
【０１０３】
（ｂ）前記実施形態では電子印鑑がタッチパネルに押されたことをタクトスイッチによって検出したが、感圧センサ等の他の手段を用いて電子印鑑がタッチパネルに押されたことを検出してもよい。
【０１０４】
（ｃ）前記実施形態では認証システムは電子的に記録された書類の承認作業である印鑑押捺に用いられたが、他の認証作業、例えば、装置の利用、書類の閲覧、施設への入場の権限があることを認証する作業に用いられてもよい。
【０１０５】
（ｄ）前記実施形態では入力装置は電子印鑑であったが、パスワード入力装置、身分証明装置であってもよい。
【０１０６】
（ｅ）前記実施形態では承認者の識別情報は名字であったが、役職、コード番号等を含んでいてもよい。また、識別情報としては、コード番号だけであってもよい。
【０１０７】
（ｆ）前記実施形態ではタブレット型コンピュータの認証部は識別信号のタッチダウンとタッチアップの両方の時間間隔を計測していたが、タッチダウンとタッチアップの一方の時間のみを計測するようにしてもよい。
【０１０８】
（ｇ）前記実施形態では電子印鑑の押圧面は無印の平坦面であったが、印影がプリントされていてもよいし、朱肉を用いて通常の印鑑としても機能する印影が刻印されていてもよい。
【０１０９】
（ｈ）前記実施形態では使用された電子印鑑のみを認証していたが、電子印鑑に加えて電子印鑑を実際に利用した使用者を特定するようにしてもよい。その場合には、例えば、電子印鑑に指紋認証装置が設けられている。指紋認証装置は、電子印鑑を持った操作者の指紋を検出して、検出データと保存してある指紋データとを照合する。そして、指紋認証装置は、照合結果に基づいて特定の人物を特定する。そして、データ送信部は、印鑑固有のデータに加えて人物特定データを外部に送信する。
【０１１０】
タブレット型コンピュータは、受信したデータの認証後に、必要に応じて、印影とともに操作者の情報（氏名、役職等）を表示する。
【０１１１】
（ｉ）前記実施形態ではタッチパネル装置としてタブレット型コンピュータを採用したが、本発明は他のコンピュータにも適用できる。
【産業上の利用可能性】
【０１１２】
本発明は、静電容量方式のタッチパネル装置を用いた認証システムに広く適用できる。
【符号の説明】
【０１１３】
１        認証システム
３        タブレット型コンピュータ（タッチパネル装置）
５        電子印鑑（入力装置）
７        タッチパネル
９        ディスプレイ（表示部）
１１      制御部
１３      認証部
１５      表示制御部
１７      入力データ記憶部（記憶部）
１９      認証データ記憶部
２１      タイマー部
２３      表示データ記憶部
２５      筐体
２７      マイコン制御部（制御部）
２７ａ    識別情報記憶部
２７ｂ    情報送信部
２９      バッテリ
３１      導電性スポンジ（第１導電性接触部）
３３      台座
３９      タクトスイッチ（スイッチ）
４１      スイッチングリレー（断続器）
４３      銅釘（第２導電性接触部）
【先行技術文献】
【特許文献】
【０１１４】
【特許文献１】特開平５−８９２２０号公報
【図１】
2012118637.tif 000003
【図２】
2012118637.tif 000004
【図３】
2012118637.tif 000005
【図４】
2012118637.tif 000006
【図５】
2012118637.tif 000007
【図６】
2012118637.tif 000008
【図７】
2012118637.tif 000009
【図８】
2012118637.tif 000010
【図９】
2012118637.tif 000011
【図１０】
2012118637.tif 000012
【図１１】
2012118637.tif 000013
【図１２】
2012118637.tif 000014